(57)【要約】【課題】車イスへの取りつけ取り外しが容易で、軽量で圧迫感がなく、安全・安価でかつ簡単に作成できる車イス用テーブルを提供する。【解決手段】車イス用テーブル１を、点線部７ａ・７ｂより山折りに９０度屈曲させ折り曲げられた２ａ・２ｂ面を車イス側板の４ａ・４ｂ面各々に沿って、車イス後方にスライドさせる事により取りつけられる。取り外しは反対に、車イス前方にスライドさせる。素材にはダンボールを用い、これにより軽量かつ安価で、利用者の身体的特徴に合わせたものを作成する事が可能である。【選択図】図１
2008100030.tif 000002
【特許請求の範囲】
【請求項１】
車イスのシートに載せて使用する車イス用テーブルであり、テーブル面と直角になるように折り曲げられた両端が、車イスの左右側板内側と各々接触することにより、左右の動揺及び落下を防止する特徴をもつ車イス用テーブル。
【請求項２】
車イスのシート面とほぼ同じ幅、奥ゆきをもち、車イス外への突起部分がなく利用者と接する側縁８の中央部に陥凹部分をもつ前記請求項１記載の車イス用テーブル。
【発明の詳細な説明】
【技術分野】
【０００１】本発明は、車イスに取りつけて使用する、車イス用テーブルに関するものである。
【背景技術】
【０００２】従来より、歩行が困難な人の移動手段として車イスが使用されているが、このように移動を目的とする以外にも食事や洗面、読書や趣味においても、車イスを使用する場面が多々ある。
このような場合、車イスにテーブルを取りつけることが行われているが、この車イス用テーブルは、不要な場合には車イスから取り外すものである為、取りつけ取り外しの操作が容易であることが望ましい。
【発明の開示】
【発明が解決しようとする課題】
【０００３】一般的な車イス用テーブルとしては、両肘かけ上に載せて裏面の固定ベルトを左右の肘かけに巻いて固定するものや、テーブルの一端に取りつけられた１本のバーを車イスに固定するものなどがある。
しかしながら、上記のような車イス用テーブルの場合、テーブルの動揺が激しかったりテーブルの大きさが不十分である為にテーブルの上のものが落下したり、固定が緩んでテーブルが外れ、落下したりすることもある。
又、テーブル位置が利用者に近すぎたり、高さの調節が不可能である為、胸部や腹部への圧迫感や窮屈感を生じ易いという問題があった。
本発明は、これらの問題点を解決すべくなされたものであり、その目的とするところは、利用者の身体的特徴に合わせて高さや幅・奥ゆきを調節することにより、胸部や腹部への圧迫を生ずることがなく、又、使用中に外れる心配がなく、さらに利用者が車イスに着座したまま容易に取りつけ、取り外しの操作を行うことが可能な車イステーブルを提供することにある。
【課題を解決するための手段】
【０００４】上記の目的を達成する為に、請求項１に記載の発明の車イス用テーブルは、車イスのシートに載せて使用する車イス用テーブルであり、テーブル面と直角になるように折り曲げられた両端が、車イスの左右側板内側と各々接触することにより、左右の動揺及び落下を防止するものである。
請求項２に記載の発明は、請求項１に記載の車イス用テーブルにおいて、車イスのシート面とほぼ同じ幅・奥ゆきをもち、車イス外への突起部分がなく、利用者と接する側縁８の中央部に陥凹部分を有するものである。
【発明の実施】
【０００５】次にこの発明の車イス用テーブルの実施形態について詳細に説明する。
（図１）は、この発明の一例による車イス用テーブル１が取りつけられた車イス１０である。
この車イス１０は、（図２）に示した車イス１０ａに、（図３）及び（図４）に示した
車イス用テーブル１を取りつけたものである。
車イス１０ａに取りつけられる車イス用テーブル１は、（図３）に示すように、四角板状態の利用者と接する側縁８の中央部に切り欠き陥凹部を有するものである。
上記車イス用テーブル１は、１枚のダンボールを用いて、使用する車イス各々の幅・奥ゆきに合わせて作成される。
（図３）に示した車イス用テーブル１を、７ａ・７ｂにおいて山折りに９０度屈曲させたものが（図４）に示したものであり、この車イス用テーブル１を車イスのシートに載せて使用する。
上記車イス用テーブル１の奥ゆきは、車イスシート面の前後幅とほぼ同等であり、利用者と
2008100030.tif 000003
創傷の有無や装具装着の有無などの疾病的特徴に加え、利用者の好みによって調節されるが、概ね（図５）に示したサイズを標準として使用する。
上記実施形態によれば、この車イス用テーブル１にかかる総ての重量は、車イス用テーブル１の左右端である９ａ・９ｂと、それに設置する車イスシート面の左右端において支持されており、この支持面の広さと安定性により、車イス用テーブル１の前後方向への動揺や落下が抑止される。
上記車イス用テーブル１の幅は、車イスの左右側板間（４ａ〜４ｂ）左右幅において、取りつけた際に２ａと４ａ間及び２ｂと４ｂ間が適度な緩みをもって取りつけられるように調節されるが、概ね（図５）に示したサイズを標準として使用する。
上記実施形態により、車イス用テーブル１の左右への動揺や落下が抑止される。
上記車イス用テーブル１の高さは、車イスのシート面から両肘かけ部分６ａ・６ｂの下面までの間で、利用者の身体的かつ疾病的特徴及び好みによって調節されるが、概ね（図５）に示したサイズを標準として使用する。
この時、利用者がその身体的かつ疾病的特徴及び好みにより、両肘かけ部分
2008100030.tif 000004
可能である。しかしその場合、車イス用テーブル１の幅は、車イスの左右側板間（４ａ〜４ｂ）左右幅ではなく、左右肘かけ間（６ａ〜６ｂ）左右幅となるので、適宜調節する必要がある。
その他、上記車イス用テーブル１には、表となる面から周囲全周の断端面及び裏面の一部にわたって、保護用の被覆材が貼布されている。これは、ダンボールの断端に接触した際の切創などを予防するとともに、食事に利用した際の飲食物による汚染を防止し、さらに審美性を高めて車イス用テーブルを補強するものである。
この被覆材の材質としては、薄くて丈夫であり、簡単にカットや貼布ができ、さらに撥水効果をもつものが望ましく、上記条件より、本実施形態においては、表面にアルミ加工を施された紙を用いる又、この被覆材を車イス用テーブルに貼布するにあたっては、両面テープを用いる。
【０００６】次に、車イス用テーブル１の車イス１０ａへの取りつけ及び取り外しの操作について説明する。
まず、（図３）に示す車イス用テーブル１の９ａ・９ｂにおいて、陥凹を有する側の一端を、車イス１０ａのシート面に載せる。そして、車イス用テーブル１の２の面を車イス側板の４の面に、同様にして車イス用テーブル１の２ｂ面を車イス側板の４ｂ面に合わせ、そのまま沿わせるようにして車イス１０ａ後方の背もたれ部分までスライドさせていく。車イス１０ａの背もたれ部分５ａ・５ｂと、車イス用テーブル１の３ａ・３ｂが各々接した時点で取りつけは完了である。（図１）
この状態で、利用者は車イス用テーブル１の上で、食事や洗面、ゲームや折り紙などを行うことが可能であり、かつ、そのまま外出して絵を描いたり読書をしたりすることも可能である。
次に、車イス１０から車イス用テーブル１を取り外す際には、車イス用テーブル１を前方にスライドさせながら引き抜くのみである。
その他、実施形態を次のように変更することもできる。
まず、車イスに使用するクッションを検討する。厚みがあり、車イスのシート面とほぼ同等の幅を有するクッションを使用した場合、車イスとクッションとの間に出来たすき間に、車イス用テーブルをしっかりと差し込んで取り付けることにより、車イス〜テーブル〜クッション間の摩擦力が高まり、より密着性が増し、安定した使用感を確保することができる。
この場合、利用者自身が車イスに着座した姿勢を保つことによって発生する、殿部や腰部などの疼痛から解放されるという利点もある。
又、被覆材を、ビニール製のクロスに変更して使用することもできる。紙製のものに比し伸びを生じやすく貼布しずらい面はあるが、撥水性・耐久性が高まり、何よりも利用者の好みに合わせて変更できるという利点がある。
尚、上記被覆材は、必要としない場合もある。これは、利用者が食事の目的で使用する場合において、車イス用テーブル全体を覆う範囲で防水エプロンを使用する場合である。
それ以外にも、読書やゲームなど、車イス用テーブルへの汚染が想定されない場合には、被覆材貼布の必要はないが、利用者の気分を害さないよう留意することと、車イス用テーブルの断端部分を全周にわたってビニールテープなどで保護し、切創を予防することを忘れてはならない。
【０００７】素材においてはダンボールを使用しているが、２枚を重ねて作成することにより、より丈夫な車イス用テーブルを提供することができる。ダンボールの性質として、荷重を受けた際の折れ曲がり易い方向があるので、各々他方向に組み合わせて作成したり、又、利用者が肘などを置いて、より荷重がかかりやすい陥凹部分のみを２重にしたりして、部分的に補強することもできる。
上記対応によっても、繰り返し車イス用テーブルを使用することにより、破損や汚染はまぬがれない。しかしその場合は、新たな車イス用テーブルを、利用者の特徴や利用する車イスの特徴に合わせて作成することができる。
車イス用テーブルの作成にあたっては、金具やネジや、特殊な工具を必要としないので、簡単・安全でかつ安価であり、その上不要となった際には燃えるゴミとして処分できる点は、環境配慮の面においても、特記すべきところである。
【０００８】この他、上記車イス用テーブルの使用後の収納に関しては、（図３）又は（図４）の状態で壁などにたてかけたり、家具とのすき間に収納したり、あるいはベッドの外枠とベッドマットレスとの間にはさみこんだりなどの収納方法が考えられる。いずれの場合においても、上記車イス用テーブルは、軽量で薄いので収納の場所を選ばず、場合によっては何枚か重ねて収納することも可能である。
又、万一倒れて利用者にあたった場合にも、痛みを伴わず創傷の危険もないので、使用中、使用後を通して、安心して利用することができる。
【図面の簡単な説明】
【０００９】
【図１】本発明の車イス用テーブルが取りつけられた車イスの斜視図である。
【図２】車イスの斜視図である。
【図３】本発明の車イス用テーブルの平面図である。
【図４】本発明の車イス用テーブルの斜視図である。
【図５】本発明の車イス用テーブルの平面図に、標準としても大きさを付足した図である。
【符号の説明】
【００１０】１．車イス用テーブル
２ａ．車イス用テーブル右脚部
２ｂ．車イス用テーブル左脚部
３ａ，３ｂ  車イス用テーブルの車イス背もたれとの接触部
４ａ．車イス右側板
４ｂ．車イス左側板
５ａ，５ｂ  車イス背もたれの、車イステーブルとの接触部
６ａ．車イス右肘かけ
６ｂ．車イス左肘かけ
７ａ，７ｂ  車イス用テーブルの山折り部分
８．車イス用テーブルの利用者側縁陥凹部
９ａ，９ｂ  車イス用テーブルの車イスシート面との接置部
【図１】
2008100030.tif 000005
【図２】
2008100030.tif 000006
【図３】
2008100030.tif 000007
【図４】
2008100030.tif 000008
【図５】
2008100030.tif 000009